(57)【要約】      （修正有）【課題】被験者の呼気を殺菌する殺菌灯の火災を防止することを可能にした呼吸機能検査装置を提供する。【解決手段】石英ガラス板５を覆う金属製のカバーには、複数の小さな矩形の窓部が形成されている。従って、カバーは、殺菌灯４の紫外線を透過するとともに、石英ガラス板５が外部からの衝撃で割れることを防止している。カバー、パッキン、石英ガラス板５、パッキンは、密着接合されている。従って、殺菌灯４からシリンダ室２１１に向けて紫外線が透過可能で、かつ、シリンダ室２１１から殺菌灯４への高濃度の酸素ガスの流出を防止することが可能となる。【選択図】図６
0003194883.tif 000002
【実用新案登録請求の範囲】
【請求項１】
被験者の呼吸空間に酸素ガスを供給しながら被験者の呼吸機能を検査する呼吸機能検査装置であって、
前記呼吸空間に向けて紫外線を照射する殺菌灯と、
前記呼吸空間と前記殺菌灯との間を遮蔽して、前記殺菌灯から前記呼吸空間に紫外線を透過可能とし、かつ、前記呼吸空間から前記殺菌灯への酸素ガスの流出を防止する石英ガラス部材とを備えた
ことを特徴とする呼吸機能検査装置。
【請求項２】
請求項１に記載の呼吸機能検査装置において、
前記呼吸機能検査装置は、シリンダの内壁面にローリングシールを介して接続されたピストンが、被験者の呼吸に応じて可動することにより呼吸容量を計測可能なローリングシール型スパイロメータであって、
前記呼吸空間は、前記シリンダの開口部が開閉扉によって遮蔽されることにより形成される空間であり、前記ピストンの可動に応じてその体積が変化するものである
ことを特徴とする呼吸機能検査装置。
【請求項３】
請求項２に記載の呼吸機能検査装置において、
前記殺菌灯及び前記石英ガラス部材は、前記開閉扉の内壁に着脱可能に取り付けられることを特徴とする呼吸機能検査装置。
【請求項４】
請求項３に記載の呼吸機能検査装置において、
前記殺菌灯は、前記開閉扉の内壁と外壁との間に内蔵され、前記呼吸空間に侵入しないことを特徴とする呼吸機能検査装置。
【請求項５】
請求項４に記載の呼吸機能検査装置において、
前記石英ガラス部材は、前記開閉扉の内壁と平行に固定され、前記呼吸空間に侵入しないことを特徴とする呼吸機能検査装置。
【請求項６】
請求項５に記載した呼吸機能検査装置において、
前記石英ガラス部材の前記呼吸空間側は、紫外線を透過させるための複数の窓部が形成された金属製のカバーで覆われている
ことを特徴とする呼吸機能検査装置。
【考案の詳細な説明】
【技術分野】
【０００１】
本考案は、呼吸機能検査装置に関し、特に、酸素ガスを供給しながら被験者の呼吸機能を検査する呼吸機能検査装置に関する。
【背景技術】
【０００２】
在宅酸素療法（ＨＯＴ）を行っている被験者の呼吸機能を検査する呼吸機能検査装置（特許文献１、特許文献２参照）では、高濃度の酸素ガスを供給しながら被験者の呼吸機能を検査する。被験者の呼気には細菌が存在している恐れがあるので、呼吸機能検査装置の汚染防止と次の被験者への感染防止のために、紫外線を照射して呼気を殺菌する殺菌灯が呼吸機能検査装置に取り付けられる。しかし、殺菌灯には電源としてＡＣ１００Ｖが供給されているため、呼気経路を流れる高濃度の酸素ガスが殺菌灯の電源供給経路に接触すると、スパークにより電源が発火して殺菌灯が火災を起こす危険がある。
【先行技術文献】
【特許文献】
【０００３】
【特許文献１】特開２０００−３７３６８号公報
【特許文献２】特開２００７−２２９１０１号公報
【考案の概要】
【考案が解決しようとする課題】
【０００４】
本考案の目的は、被験者の呼気を殺菌する殺菌灯の火災を防止することを可能にした呼吸機能検査装置を提供することにある。
【課題を解決するための手段】
【０００５】
前記課題は以下の手段によって解決される。
すなわち、本考案１の呼吸機能検査装置は、被験者の呼吸空間に酸素ガスを供給しながら被験者の呼吸機能を検査する呼吸機能検査装置であって、前記呼吸空間に向けて紫外線を照射する殺菌灯と、前記呼吸空間と前記殺菌灯との間を遮蔽して、前記殺菌灯から前記呼吸空間に紫外線を透過可能とし、かつ、前記呼吸空間から前記殺菌灯への酸素ガスの流出を防止する石英ガラス部材とを備えたことを特徴とする。
【０００６】
本考案２の呼吸機能検査装置は、本考案１において、前記呼吸機能検査装置は、シリンダの内壁面にローリングシールを介して接続されたピストンが、被験者の呼吸に応じて可動することにより呼吸容量を計測可能なローリングシール型スパイロメータであって、前記呼吸空間は、前記シリンダの開口部が開閉扉によって遮蔽されることにより形成される空間であり、前記ピストンの可動に応じてその体積が変化するものであることを特徴とする。
【０００７】
本考案３の呼吸機能検査装置は、本考案２において、前記殺菌灯及び前記石英ガラス部材は、前記開閉扉の内壁に着脱可能に取り付けられることを特徴とする。
【０００８】
本考案４の呼吸機能検査装置は、本考案３において、前記殺菌灯は、前記開閉扉の内壁と外壁との間に内蔵され、前記呼吸空間に侵入しないことを特徴とする。
【０００９】
本考案５の呼吸機能検査装置は、本考案４において、前記石英ガラス部材は、前記開閉扉の内壁と平行に固定され、前記呼吸空間に侵入しないことを特徴とする。
【００１０】
本考案６の呼吸機能検査装置は、本考案５において、前記石英ガラス部材の前記呼吸空間側は、紫外線を透過させるための複数の窓部が形成された金属製のカバーで覆われていることを特徴とする。
【考案の効果】
【００１１】
本考案の呼吸機能検査装置は、石英ガラス板が殺菌灯から呼吸空間に紫外線を透過可能とし、かつ、呼吸空間から殺菌灯への酸素ガスの流出を防止している。従って、高濃度の酸素ガスが殺菌灯の電源供給経路に接触することを防止できるため、電源が発火して殺菌灯が火災を起こす危険を回避することができる。
【図面の簡単な説明】
【００１２】
【図１】図１は、本考案の呼吸機能検査装置の外観を示し、（ａ）は正面図、（ｂ）は（ａ）の平面図である。
【図２】図２は、図１の呼吸機能検査装置の開閉扉を開いた状態を示す斜視図である。
【図３】図３は、図２の殺菌灯を開閉扉の内壁側から見た正面図である。
【図４】図４は、図３のＡ−Ａ断面図である。
【図５】図５は、図３のＢ−Ｂ断面図である。
【図６】図６は、本考案の呼吸機能検査装置のローリングシール型スパイロメータ周辺の概略の構造を示す説明図である。
【考案を実施するための形態】
【００１３】
以下、本考案の実施の形態を図面に基づいて説明する。図１は本考案の呼吸機能検査装置の外観を示し、（ａ）は正面図、（ｂ）は（ａ）の平面図である。図２は図１の呼吸機能検査装置の開閉扉を開いた状態を示す斜視図である。図１、図２に示すように、本考案の呼吸機能検査装置１は、筐体である本体部１１と、本体部１１に内蔵されたローリングシール型スパイロメータ１２等から構成される。本体部１１の上面には、キーボード１３、ＣＲＴ１４、プリンタ１５、マウス１６が載置され、本体部１１の内部には制御部（図示せず）が備えられている。本体部１１の左側面には、開閉扉１７が蝶番によって開閉可能に取り付けられ、開閉扉１７を閉じてローリングシール型スパイロメータ１２を遮蔽する。
【００１４】
図６は本考案の呼吸機能検査装置１のローリングシール型スパイロメータ１２周辺の概略の構造を示す説明図である。図６に示すように、ローリングシール型スパイロメータ１２は、円筒状のシリンダ２１と、軸受け用のスライドベアリング２２により支持されるピストン２３を備え、シリンダ２１とピストン２３との間をシリコン製のローリングシール２４で密閉している。ローリングシール２４の一端はシリンダ２１の内壁面に接合され、他端はピストン２３の側面に接合されている。ピストン２３の移動に追随してローリングシール２４が湾曲することで、シリンダ２１とピストン２３との隙間の密閉状態が維持される。ピストン２３が移動すると、ポテンショメータ２５でピストン２３の中心軸２６の軸方向の移動距離を検出する。
【００１５】
図２及び図６に示すように、シリンダ２１の開口部周囲の壁面には、シリコン製のクッション部材２１２が接合されており、シリンダ２１の開口部が、環状のクッション部材２１２によって囲まれる構成となっている。図６に示すように、クッション部材２１２は、開閉扉１７が閉じられると、開閉扉１７の内壁面と接触して変形することにより、開閉扉１７を閉じたときの衝撃を緩和する。また、クッション部材２１２は、開閉扉１７の内壁面と密着することにより、開閉扉１７の内壁面とシリンダ２１の開口部周囲の壁面との隙間を埋める。これにより、開閉扉１７の内壁面とクッション部材２１２とによって、シリンダ２１内のシリンダ室２１１が密閉される。後述するように、このシリンダ室２１１には、酸素ボンベから酸素ガスが供給される。また、被験者の吸気時には、シリンダ室２１１の酸素ガスが被験者に供給され（被験者がシリンダ室２１１の酸素ガスを吸入し）、被験者の呼気時には、被験者の呼気がシリンダ室２１１に吐出される。即ち、開閉扉１７が閉じられたときのシリンダ室２１１は、被験者の呼吸空間として機能する。
【００１６】
図６に示すように、シリンダ２１の壁面には、酸素ガス供給口２７が設けられている。酸素ガス供給口２７は、シリンダ２１の壁面から本体部１１の筐体内壁面及び筐体内部を通過して本体部１１の筐体外壁面に貫通する酸素ガス供給孔２７ａのシリンダ壁面側の開口部である。本体部１１の筐体外壁面には、酸素ボンベ接続口２７ｂが設けられている。酸素ボンベ接続口２７ｂは、酸素ガス供給孔２７ａの筐体外壁面側の開口部であり、酸素ボンベ接続口２７ｂには、図示しない酸素ボンベが接続される。その酸素ボンベから酸素ガスが供給されると、酸素ガス供給口２７からシリンダ室２１１に酸素ガスが流入する。
【００１７】
図６に示すように、開閉扉１７の内壁１７１には、呼吸口３１、３３が設けられている。呼吸口３１、３３は、開閉扉１７の内壁１７１から外壁１７３に貫通する呼吸孔３１ａ、３３ａの内壁側の開口部である。開閉扉１７の外壁１７３には、呼吸チューブ接続口３１ｂ、３３ｂが設けられている。呼吸チューブ接続口３１ｂ、３３ｂは、呼吸孔３１ａ、３３aの外壁側の開口部であり、呼吸チューブ接続口３１ｂ、３３ｂには、図示しない呼吸チューブが接続される。呼吸チューブ接続口３１ｂに接続された呼吸チューブを介して被験者が吸気を行うと、ピストン２３が手前方向（開口部方向）に移動してシリンダ室２１１の容量（呼吸空間の体積）が減少すると共に、シリンダ室２１１内の酸素ガスが呼吸口３１から外部に流出し、呼吸チューブを介して被験者に供給される。このときのピストン２３の移動距離をポテンショメータ２５が検出することにより、吸気量が電気信号に変換される。また、呼吸チューブ接続口３３ｂに接続された呼吸チューブを介して被験者が呼気を行うと、呼吸チューブ接続口３３ｂ、呼吸孔３３ａを通り被験者の呼気が呼吸口３３からシリンダ室２１１に吐出され、ピストン２３が奥方向（開口部と反対方向）に移動してシリンダ室２１１の容量（呼吸空間の体積）が増加する。このときのピストン２３の移動距離をポテンショメータ２５が検出することにより、呼気量が電気信号に変換される。ポテンショメータ２５の電気信号は本体部１１内部の制御部に送られ、図示しないＣＰＵで演算されて、ＣＲＴ１４に表示され、プリンタ１５でプリントアウトされて、医師や検査技師等に通知される。
【００１８】
図３は図２の殺菌灯を開閉扉の内壁側から見た正面図、図４は図３のＡ−Ａ断面図、図５は図３のＢ−Ｂ断面図である。図２から図６に示すように、開閉扉１７の内壁１７１と外壁１７３との間には、紫外線を照射する殺菌灯４が取り付けられている。即ち、殺菌灯４は、呼吸空間となるシリンダ室２１１に侵入しないように設置されている。これにより、殺菌灯４の存在が呼吸容量の計測に及ぼす影響が排除される。
【００１９】
殺菌灯４には電源としてＡＣ１００Ｖが供給されている。殺菌灯４は、殺菌ランプ４３、グローランプ４４、安定器４５を備えている。殺菌灯４は、金属製の固定金具４１を介して２本のシールビス４２で内壁１７１に固定され、開閉扉１７の内壁１７１と外壁１７３との間に内臓されている。シールビス４２は、ビスの頭の座面にゴム製のシールドリングを入れる溝が形成されているため、シールビス４２を締め付けた時に、シールドリングが座面からはみ出るのを防止している。従って、ビスの頭の座面と内壁１７１との間に隙間が出来にくく、シールビス４２のねじ部から殺菌灯４への酸素ガスの流出を防止している。内壁１７１には殺菌灯４の長さよりも若干長辺が長く、殺菌灯４の幅よりも短辺が長い矩形の開口部１７２が形成されているため、殺菌灯４の紫外線が開口部１７２を通過し、シリンダ室２１１の呼気を照射して殺菌する。
【００２０】
内壁１７１のシリンダ室２１１側には、矩形の石英ガラス板５が鉄板等の金属製のカバー６を介して取り付けられている。石英ガラス板５の面積は、内壁１７１の開口部１７２よりも一回り大きく形成されている。従って、開口部１７２を通過した殺菌灯４の紫外線は、石英ガラス板５を透過する。石英ガラス板５を覆うカバー６は、４本のビス６１で内壁１７１に固定されている。内壁１７１とカバー６との間には、矩形板状のパッキン７１が挟み込まれ、カバー６と石英ガラス板５との間にも、矩形板状のパッキン７２、７３が挟み込まれている。パッキン７２、７３は、カバー６の枠に沿って形成された溝部に嵌め込まれ、石英ガラス板５は、パッキン７２とパッキン７３により挟持されることで、パッキン７２及びパッキン７３と共にカバー６に固定される。パッキン７１、７２、７３は、シリコン製で、内壁１７１の開口部１７２とほぼ同一寸法の矩形の開口部７１１、７２１、７３１が各々形成されている。
【００２１】
カバー６には、複数の小さな矩形の窓部６２が形成されている。従って、カバー６は、殺菌灯４の紫外線を透過するとともに、石英ガラス板５が外部からの衝撃で割れることを防止している。カバー６、パッキン７２、石英ガラス板５、パッキン７３は、密着接合されている。従って、殺菌灯４からシリンダ室２１１に紫外線が透過可能で、かつ、シリンダ室２１１から殺菌灯４への高濃度の酸素ガスの流出を防止することが可能となる。その結果、高濃度の酸素ガスが殺菌灯４の電源供給経路に接触することを防止できるため、電源供給経路がスパークしても、電源供給経路が発火して殺菌灯４が火災を起こす危険を回避することができる。また、高価な防爆型の殺菌灯４を採用しなくて済むため、呼吸機能検査装置の製造コストの上昇を抑えることができる。
【００２２】
また、石英ガラス板５及びカバー６が、ビス６１により内壁１７１と着脱自在に取り付けられることにより、殺菌ランプ４３の交換が容易である。さらに、石英ガラス板５及びカバー６が、内壁１７１と平行に、シリンダ室２１１に侵入しないように取り付けられることで、石英ガラス板５及びカバー６の存在が呼吸容量の計測に及ぼす影響が排除される。
【００２３】
以上、本考案の実施の形態を説明したが、本考案はこの実施の形態に限定されることはない。本考案の目的、趣旨を逸脱しない範囲内での変更が可能なことはいうまでもない。
【符号の説明】
【００２４】
１…呼吸機能検査装置
１１…本体部
１２…ローリングシール型スパイロメータ
１３…キーボード
１４…ＣＲＴ
１５…プリンタ
１６…マウス
１７…開閉扉
１７１…内壁
１７２…開口部
１７３…外壁
２１…シリンダ
２１１…シリンダ室
２１２…クッション部材
２２…スライドベアリング
２３…ピストン
２４…ローリングシール
２５…ポテンショメータ
２６…中心軸
２７…酸素ガス供給口
３１、３３…呼吸口
４…殺菌灯
４１…固定金具
４２…シールビス
４３…殺菌ランプ
４４…グローランプ
４５…安定器
５…石英ガラス板
６…カバー
６１…ビス
６２…窓部
７１…パッキン
７２…パッキン
７３…パッキン
７１１、７２１、７３１…開口部
【図１】
0003194883.tif 000003
【図２】
0003194883.tif 000004
【図３】
0003194883.tif 000005
【図４】
0003194883.tif 000006
【図５】
0003194883.tif 000007
【図６】
0003194883.tif 000008